(57)【要約】      （修正有）【課題】操作が簡単で持ち運びが容易である脱毛器を提供する。【解決手段】第１の本体１と、第１の本体に移動可能に接続される第２の本体２とを備える回転伸縮式脱毛器であって、第１の本体は収容部１０および脱毛装置１３とを含み、第１の本体は第２の本体に対して回転することにより、脱毛装置が収容部に伸縮移動可能に収容される。脱毛装置が伸縮移動可能に収容部に収容され、これによって、保護カバーを設けることなく脱毛装置のカッターヘッドを保護することができ追加のスペースを占有せず、審美的感覚もまた増加する。【選択図】図１
0003227249.tif 000002
【実用新案登録請求の範囲】
【請求項１】
第１の本体と、前記第１の本体に移動可能に接続される第２の本体とを備え、前記第１の本体は収容部および脱毛装置を含み、前記第１の本体は前記第２の本体に対して回転することにより、前記脱毛装置が伸縮移動可能に前記収容部に収容されることを特徴とする回転伸縮式脱毛器。
【請求項２】
前記第１の本体は、筐体と、前記筐体に収容され前記収容部に固定的に接続される固定部とを含むことを特徴とする請求項１に記載の回転伸縮式脱毛器。
【請求項３】
前記固定部に摺動溝が設けられ、前記筐体に制限溝が設けられ、前記脱毛装置は、その表面から突出する軸部を含み、前記軸部は前記摺動溝から前記制限溝まで貫通することを特徴とする請求項２に記載の回転伸縮式脱毛器。
【請求項４】
前記第１の本体が前記第２の本体に対して回転するとき、前記軸部は、同時に前記摺動溝および前記制限溝を摺動することにより、前記脱毛装置を前記収容部に対して伸縮移動させることを特徴とする請求項３に記載の回転伸縮式脱毛器。
【請求項５】
前記固定部に第１の制限孔および第２の制限孔が設けられ、前記摺動溝の両端はそれぞれ前記第１の制限孔と前記第２の制限孔と連通することを特徴とする請求項４に記載の回転伸縮式脱毛器。
【請求項６】
前記第２の本体は、電源部および接続片を含み、前記電源部及び前記接続片が前記固定部に収容され、前記接続片の一端が前記電源部に電気的に接続され、他端が前記固定部に固定されることを特徴とする請求項５に記載の回転伸縮式脱毛器。
【請求項７】
前記脱毛装置には、電気接触部が固定されており、軸部が前記摺動溝から前記第１の制限孔に摺動すると、前記脱毛装置が前記収容部に対して突出し、前記電気接触部が前記接続片と接触し、この時前記脱毛装置が作動することを特徴とする請求項６に記載の回転伸縮式脱毛器。
【請求項８】
前記軸部が前記摺動溝から前記第２の制限孔に摺動すると、前記脱毛装置が前記収容部に対して収縮し、前記電気接触部が前記接続片から離れ、この時前記脱毛装置が停止することを特徴とする請求項７に記載の回転伸縮式脱毛器。
【請求項９】
前記第１の本体に、前記電源部と電気的に接続される照明部がさらに設けられ、前記照明部は前記固定部に嵌設されることを特徴とする請求項６に記載の回転伸縮式脱毛器。
【請求項１０】
前記脱毛装置は、カッターヘッドと、駆動部と、回路基板と、ブラケットとを備え、前記駆動部は、前記カッターヘッドを回転駆動し、前記回路基板は、前記駆動部と電気的に接続され前記ブラケット内に固定され、前記ブラケットが前記駆動部を収容するとともに前記カッターヘッドを支持することを特徴とする請求項１に記載の回転伸縮式脱毛器。
【考案の詳細な説明】
【技術分野】
【０００１】
本考案は、美容機器の分野に関し、特に回転伸縮式脱毛器に関する。
【背景技術】
【０００２】
現在、女性の社会的役割はますます多様化し、女性はほとんどすべての産業に不可欠であり、化粧はほとんどの女性の生活に不可欠な部分となっており、脱毛器は生活の必需品であり、市販されている脱毛器の種類も豊富であり、従来の脱毛器は、保護カバーによりカッターヘッド部分を覆って、使用する場合、保護カバーを外してスイッチを開ける必要があり、操作が煩雑で付属品が紛失しやすい問題がある。したがって、本考案は、操作が簡単で持ち運びが容易である新規な脱毛器を提供することを目的とする。
【考案の概要】
【考案が解決しようとする課題】
【０００３】
上記の問題を解決するために、本考案は、保護カバーを設けることなくカッターヘッドを保護でき、操作が簡単で持ち運びが容易である回転伸縮式脱毛器を提案する。
【課題を解決するための手段】
【０００４】
本考案は、以下の技術的解決策によって実現される。
【０００５】
本考案の一実施形態は、回転伸縮式脱毛器を提案し、前記回転伸縮式脱毛器は、第１の本体と、前記第１の本体に移動可能に接続される第２の本体とを備え、前記第１の本体は収容部および脱毛装置を含み、前記第１の本体は前記第２の本体に対して回転することにより、前記脱毛装置が伸縮移動可能に前記収容部に収容される。
さらに、前記第１の本体は、筐体と、前記筐体に収容され前記収容部に固定的に接続される固定部とを含む。
【０００６】
さらに、前記固定部に摺動溝が設けられ、前記筐体に制限溝が設けられ、前記脱毛装置はその表面から突出する軸部を含み、前記軸部が前記摺動溝から前記制限溝まで貫通する。
【０００７】
さらに、前記第１の本体が前記第２の本体に対して回転すると、前記軸部が同時に前記摺動溝および前記制限溝を摺動することにより、前記脱毛装置を前記収容部に対して伸縮移動させる。
さらに、前記固定部に第１の制限孔および第２の制限孔が設けられ、前記摺動溝の両端がそれぞれ前記第１の制限孔、前記第２の制限孔と連通する。
【０００８】
さらに、前記第２の本体は、電源部および接続片を含み、前記電源部及び前記接続片が前記固定部に収容され、前記接続片の一端が前記電源部と電気的に接続され、他端が前記固定部に固定される。
【０００９】
さらに、前記脱毛装置に電気接触部が固定され、前記軸部が前記摺動溝から前記第１の制限孔に摺動すると、前記脱毛装置が前記収容部に対して突出し、前記電気接触部が前記接続片と接触し、この時前記脱毛装置が作動する。
【００１０】
さらに、前記軸部が前記摺動溝から前記第２の制限孔に摺動すると、前記脱毛装置が前記収容部に対して収縮し、前記電気接触部が前記接続片から離れ、この時前記脱毛装置が停止する。
さらに、前記第１の本体に、前記電源部と電気的に接続される照明部が設けられ、前記照明部が前記固定部に嵌設される。
【００１１】
さらに、前記脱毛装置は、カッターヘッドと、駆動部と、回路基板と、ブラケットとを含み、前記駆動部は、前記カッターヘッドを回転駆動し、前記回路基板が前記駆動部と電気的に接続され前記ブラケットに固定され、前記ブラケットが前記駆動部を収容するとともに前記カッターヘッドを支持する。
【考案の効果】
【００１２】
本考案の有益な効果は以下のとおりである。
【００１３】
本考案によって提案される回転伸縮式脱毛器は、第１の本体と、前記第１の本体に移動可能に接続される第２の本体とを備え、前記第１の本体は収容部および脱毛装置を含み、前記第１の本体は前記第２の本体に対して回転することにより、前記脱毛装置を伸縮移動可能に前記収容部に収容する。前記第１の本体が前記第２の本体に対して回転することにより、前記脱毛装置が伸縮移動可能に前記収容部に収容されることによって、保護カバーを設けることなく、脱毛装置のカッターヘッドを保護でき、保護カバーの紛失を引き起こせず、操作が簡単で持ち運びが容易であり、前記脱毛装置は追加のスペースを占有せず、審美的感覚もまた増加する一方でユーザー体験も増加する。
【図面の簡単な説明】
【００１４】
一実施形態における
【図１】本考案によって提案される回転伸縮式脱毛器の脱毛装置が突出するときの構造模式図の一例である。
【図２】本考案によって提案される回転伸縮式脱毛器の脱毛装置が収縮するときの構造模式図の一例である。
【図３】本考案によって提案される回転伸縮式脱毛器の断面構造模式図の一例である。
【図４】本考案によって提案される回転伸縮式脱毛器の部分構造模式図の他の一例である。
【図５】本考案によって提案される回転伸縮式脱毛器の部分構造模式図の一例である。
【図６】本考案によって提案される回転伸縮式脱毛器の筐体の構造模式図の一例である。
【考案を実施するための形態】
【００１５】
本考案の技術的解決策をより明確かつ完全に説明するために、図面を参照して以下で本考案をさらに説明する。
【００１６】
図１〜図６を参照すると、本考案は回転伸縮式脱毛器を提案し、一実施形態による回転伸縮式脱毛器は、第１の本体１と前記第１の本体１に移動可能に接続される第２の本体２とを備え、前記第１の本体１は収容部１０および脱毛装置１３を含み、前記第１の本体１は前記第２の本体２に対して回転することにより、前記脱毛装置１３が伸縮移動可能に前記収容部１０に収容される。
【００１７】
本実施形態では、前記第１の本体１が前記第２の本体２に対して回転することにより、前記脱毛装置１３が伸縮移動可能に前記収容部１０に収容されることによって、保護カバーを設けることなく脱毛装置１３のカッターヘッド１３２を保護でき、保護カバーの紛失を引き起こすことがなく、操作が簡単で持ち運びが容易であり、前記脱毛装置１３が追加のスペースを占有せず、使用体験が増加するとともに本考案によって提案される回転伸縮式脱毛器の全体美感も増加する。
さらに、前記第１の本体１は、筐体１１と、前記筐体１１に収容され前記収容部１０に固定的に接続される固定部１２を含む。
【００１８】
さらに、前記固定部１２に摺動溝１２０が設けられ、前記筐体１１に制限溝１１０が設けられ、前記脱毛装置１３はその表面から突出する軸部１３０を含み、前記軸部１３０が前記摺動溝１２０から前記制限溝１１０まで貫通する。
【００１９】
本実施形態では、前記摺動溝１２０は傾斜溝であり、前記制限溝１１０は垂直溝であり、前記摺動溝１２０および前記制限溝１１０が両方とも２つ設けられ、前記軸部１３０が前記脱毛装置１３を貫通する。
【００２０】
さらに、前記第１の本体１が前記第２の本体２に対して回転すると、前記軸部１３０が同時に前記摺動溝１２０および前記制限溝１１０を摺動して、前記脱毛装置１３を前記収容部１０に対して伸縮移動させる。
【００２１】
本実施形態では、前記第１の本体１が前記第２の本体２に対して回転し、前記筐体１１が前記第２の本体２に対して回転し、ユーザーが手で前記筐体１１を回転させると、前記固定部１２が回転せずに前記筐体１１の前記制限溝１１０を介してトルクを前記軸部１３０に伝達し、前記軸部１３０が前記摺動溝１２０を摺動して前記脱毛装置１３を前記収容部１０に対して伸縮移動させる。そして、前記摺動溝１２０は傾斜溝であり、前記制限溝１１０は垂直溝であるので、ずれが発生せず、前記脱毛装置１３を前記収容部１０に対して伸縮移動させる。
【００２２】
さらに、前記固定部１２に第１の制限孔１２１および第２の制限孔１２２が設けられ、前記摺動溝１２０の両端がそれぞれ前記第１の制限孔１２１と前記第２の制限孔１２２と連通する。
【００２３】
本実施形態では、前記第１の本体１が時計回りに回転すると、前記軸部１３０が前記摺動溝１２０から前記第１の制限孔１２１に摺動し、この時前記脱毛装置１３が前記収容部１０に対して突出する。前記第１の本体１が反時計回りに回転すると、前記軸部１３０が前記摺動溝１２０から前記第２の制限孔１２２に摺動し、この時前記脱毛装置１３が前記収容部１０に対して収縮する。前記第１の制限孔１２１、第２の制限孔１２２が水平方向の孔であり、前記摺動溝１２０と一定の角度をなして制限し、前記軸部１３０が前記摺動溝１２０を自動的に摺動する。
【００２４】
さらに、前記第２の本体２は電源部３０及び接続片３１を含み、前記電源部３０及び前記接続片３１が前記固定部１２に収容され、前記接続片３１の一端が前記電源部３０と電気的に接続され、他端が前記固定部１２に固定される。
本実施形態では、前記電源部３０は再充電可能なリチウム電池であり得る。前記第２の本体２の外部には、前記電源部３０を充電するための充電口が設けられる。
【００２５】
さらに、前記脱毛装置１３には、電気接触部１３１が固定され、前記軸部１３０が前記摺動溝１２０から前記第１の制限孔１２１に摺動すると、前記脱毛装置１３が前記収容部１０に対して突出し、前記電気接触部１３１が前記接続片３１と接触し、この時前記脱毛装置１３が作動する。
【００２６】
さらに、前記軸部１３０が前記摺動溝１２０から前記第２の制限孔１２２に摺動すると、前記脱毛装置１３が前記収容部１０に対して収縮し、前記電気接触部１３１が前記接続片３１から離れ、この時前記脱毛装置１３が停止する。
【００２７】
本考案の本実施形態によれば、脱毛装置１３を作動させるためにスイッチを追加する必要がなく、前記脱毛装置１３が前記収容部１０に対して最大限に突出すると、前記電気接触部１３１がちょうど前記接続片３１と接触し、この時前記電源部３０および前記脱毛装置１３に電力が供給され、前記脱毛装置１３が自動的に作動し、前記脱毛装置１３が前記収容部１０に対して収縮して前記収容部１０に収容されると、前記電気接触部１３１が前記接続片３１と接触しないように離れ、この時前記電源部３０および前記脱毛装置１３の電力供給が解除され、前記脱毛装置１３が自動的に切断される。このような設計により、煩雑な起動操作の不便を解消することができる。
さらに、前記第１の本体１には、前記電源部３０と電気的に接続される照明部１４が設けられ、前記照明部１４が前記固定部１２に嵌設される。
【００２８】
本実施形態では、前記固定部１２および前記筐体１１は透明な材料で形成され、電源部３０の電源を入れると、照明部１４の光が固定部１２の壁を透過し、収容部１０の頂端から光が漏れ、いつでも脱毛装置１３の脱毛効果を明確に把握できる。
【００２９】
さらに、前記脱毛装置１３は、カッターヘッド１３２と、駆動部１３３と、回路基板１３４と、ブラケット１３５とを備え、前記駆動部１３３は前記カッターヘッド１３２を回転駆動し、前記回路基板１３４が前記駆動部１３３と電気的に接続され前記ブラケット１３５内に固定され、前記ブラケット１３５が前記駆動部１３３を収容するとともに前記カッターヘッド１３２を支持する。
本実施形態では、前記駆動部１３３はモータである。
【００３０】
もちろん、本考案は他にも様々な実施形態を有することができ、本実施形態に基づき、創造的な労働をせずに当業者により得られたすべての他の実施形態は、本考案の保護範囲に含まれることは言うまでもない。
【符号の説明】
【００３１】
１：第１の本体
２：
１０：収容部
１１：筐体
１２；固定部
１３：脱毛装置
１４：照明部
３０:電源部
３１:接続片
１１０：制限溝
１２０：摺動溝
１２１：第１の制限孔
１２２：第２の制限孔
１３０：軸部
１３１：電気接触部
１３２：カッターヘッド
１３３：駆動部
１３４：回路基板
１３５：ブラケット
【図１】
0003227249.tif 000003
【図２】
0003227249.tif 000004
【図３】
0003227249.tif 000005
【図４】
0003227249.tif 000006
【図５】
0003227249.tif 000007
【図６】
0003227249.tif 000008